(57)【要約】【課題】  不要な番組を消去するための消去用画面を表示するためには、幾度も操作釦を押さねばならず、番組消去時の使い勝手が悪いという問題があった。さらには、釦を操作する毎に画面表示が変わるので、画面表示が終了するまでは次釦が押せないので、消去用画面を表示するまでに時間がかかり、使い勝手が悪いという問題もある。【解決手段】  入力された番組の映像情報と前記番組に関連した番組情報とを記録媒体に記録する記録手段と、前記記録媒体に記録してある番組を消去するための消去画面を生成する消去画面生成手段と、前記消去画面生成手段にて消去画面用の情報を生成する制御手段とを備えた映像記録再生装置において、前記消去画面を生成するための消去釦を設けることを特徴とする。【選択図】  図２
2007267298.tif 000002
【特許請求の範囲】
【請求項１】
入力された番組の映像情報と前記番組に関連した番組情報とを記録媒体に記録する記録手段と、前記記録媒体に記録してある番組を消去するための消去画面を生成する消去画面生成手段と、前記消去画面生成手段にて消去画面を生成するための情報を生成する制御手段とを備える映像記録再生装置であって、
消去釦を設け、前記消去釦により、前記制御手段と前記消去画面生成手段により、前記消去画面が生成されることを特徴とする映像記録再生装置。
【請求項２】
請求項１記載の映像記録再生装置において、前記消去画面は消去候補を選択するために前記記録媒体に記録してある番組情報を一覧表示する第１の消去画面と、前記第１の消去画面で選択して消去候補とした番組情報を一覧表示する第２の消去画面とを備え、
前記消去釦を操作時、前記第２の消去画面を生成することを特徴とする映像記録再生装置。
【請求項３】
請求項１乃至２記載の映像記録再生装置において、前記消去釦はリモコン装置に配置されていることを特徴とする映像記録再生装置。
【発明の詳細な説明】
【技術分野】
【０００１】
本発明は、記録媒体に記録されている番組を消去することの出来る映像記録再生装置に係り、特に番組消去時の使い勝手改善に関する。
【背景技術】
【０００２】
本技術分野の背景技術として、例えば、松下電器株式会社製ＤＶＤレコーダー「ＤＭＲ−ＥＨ６６」がある。このＤＶＤレコーダーの取扱説明書では、機能選択釦の操作により機能選択画面を表示させ、機能選択画面中に「消去ナビ」の項目を選択・決定することにより番組消去用の画像一覧を表示するようになっている。この番組消去用の画像一覧で消去したい番組を選択し、決定・消去の操作をすると記録媒体から番組が消去できる。さらに、リモコンに配置されている消去釦を使用して、再生中の番組を削除することもできるようになっている。（非特許文献１参照）
また、別の背景技術として、例えば、株式会社日立製作所製日立ハイビジョンＨＤＤ／ＤＶＤレコーダー「ＤＶ−ＤＨ１０００Ｗ」がある。このレコーダーでは、ワケ録釦の操作によりワケ録ナビ画面を表示させ、ワケ録ナビ画面表示中に黄釦を押すと、ゴミ箱画面が表示される。このゴミ箱画面には消去候補とした番組が一覧表示されているので、消去したい番組を選択し、決定・消去の操作をすると記録媒体から番組が消去できる。（非特許文献２参照）
【非特許文献１】松下電器株式会社製ＤＶＤレコーダー「ＤＭＲ−ＥＨ６６」取扱説明書２３ページ、５１ページ
【非特許文献２】株式会社日立製作所製日立ハイビジョンＨＤＤ／ＤＶＤレコーダー「ＤＶ−ＤＨ１０００Ｗ」取扱説明書１２９ページ、１３０ページ
【発明の開示】
【発明が解決しようとする課題】
【０００３】
近年、記録媒体としてＤＶＤ（Ｄｉｇｉｔａｌ  Ｖｅｒｓａｔｉｌｅ  Ｄｉｓｃ）等の光ディスクやハードディスクなどが使用されるようになってきている。さらに、大容量化により映像を記録するための映像記録再生装置にＤＶＤやハードディスクを使用した製品が注目を集めている。このような映像記録再生装置では、テレビ放送などの番組をＤＶＤやハードディスクに記録するようになっている。
【０００４】
一方、光ディスクやハードディスクなどの記録媒体は記録容量が限られているので、記録容量が一杯にならないよう不要な番組は積極的に消去し、次の新しい番組を記録できるようにして記録媒体を効率的に使用する必要がある。不要な番組を積極的に消去するために、番組を消去する時の使い勝手を改善することが重要になってきた。
【０００５】
しかしながら、非特許文献１記載の従来技術では、不要な番組を消去するための消去用画面を表示するためには、幾度も操作釦を押さねばならず、番組消去時の使い勝手が悪いという問題があった。例えば、「機能選択」釦、選択するための「カーソル釦」、「決定釦」と少なくとも３度釦を押す必要がある。さらには、釦を操作する毎に画面表示が変わるので、画面表示が終了するまでは次釦が押せないので、消去用画面を表示するまでに時間がかかり、使い勝手が悪いという問題もある。また、「消去」釦による消去ではまず再生させる必要があり、さらに再生中の番組しか消去できないので、番組消去時の使い勝手が悪いという問題があった。
【０００６】
また、非特許文献２記載の従来技術では、消去候補の番組を消去するためのゴミ箱画面を表示するためには、幾度も操作釦を押さねばならず、番組消去時の使い勝手が悪いという問題があった。例えば、「ワケ録」釦、「黄」釦と２度釦を押す必要がある。さらには、釦を操作する毎に画面表示が変わるので、画面表示が終了するまでは次釦が押せないので、消去用画面を表示するまでに時間がかかり、使い勝手が悪いという問題もある。
【０００７】
本発明の目的は、番組消去用の画面を表示される消去釦を設けることにより、消去画面表示までの操作手間及び時間を短縮し、番組消去時の使い勝手の改善した映像記録再生装置を提供することにある。
【課題を解決するための手段】
【０００８】
上記目的は、特許請求の範囲に記載の発明により達成される。
【発明の効果】
【０００９】
本発明によれば、番組消去用の画面を表示される消去釦を設けることにより、消去画面表示までの操作手間及び時間を短縮し、番組消去時の使い勝手を改善することができる。
【発明を実施するための最良の形態】
【００１０】
以下、本発明による映像記録再生装置の一実施例を図１〜図５を用いて説明する。
【実施例１】
【００１１】
図１は本発明による映像記録再生装置であるＨＤＤ内蔵ＤＶＤレコーダーのブロック図を示す。本発明によるＨＤＤ内蔵ＤＶＤレコーダーの内部構成及び動作を図１を用いて説明する。
【００１２】
１０１はアナログのテレビ放送受信用のアナログ受信手段、１０２は外部装置から映像信号を入力するための外部入力端子、１０３はデジタルのテレビ放送受信用のデジタル受信手段、１０４はアナログ受信手段１０１と外部入力端子１０２とを切替えるための入力切替手段、１０５はアナログの映像信号をデジタルの映像データに変換するＡ／Ｄ、１０６はＭＰＥＧ方式で映像データを圧縮または伸張するとともに各種の信号処理を行うデジタル信号処理手段、１０７は記録媒体としてハードディスク（ＨＤＤ）を使用して圧縮された映像データを記録するＨＤＤドライブ、１０８は記録媒体としてＤＶＤを使用して圧縮した映像データを記録するＤＶＤドライブ、１０９は文字やアイコン等の表示用の各種情報を生成してデジタル信号処理手段１０６からの映像信号に重畳または消去画面等の各種画面を生成するＯＳＤ（Ｏｎ  Ｓｃｒｅｅｎ  Ｄｉｓｐｌａｙ）生成手段、１１０は外部に接続した表示装置に映像信号を出力するための外部出力端子、１１１はリモコンからの信号を受信するリモコン入力手段、１１２は本レコーダー全体を制御及び各種画面用の情報を生成するための制御手段、１１３はユーザが本レコーダーを操作するときに使用する各種釦等から構成される操作手段、１１４は番組情報等を記憶するための記憶手段（メモリ）である。２０１は本レコーダーを離れたところから操作するときに使用するリモコンであり、後述するゴミ箱釦が配置されている。
【００１３】
まず、記録及び再生時の動作を説明する。アナログのテレビ放送からの番組を記録する場合は、アナログ受信手段１０１によりテレビ放送を受信し出力される映像信号を切替手段１０４で選択し、Ａ／Ｄ１０５でアナログの映像信号からデジタルの映像データに変換されデジタル信号処理手段１０６に入力される。デジタル信号処理手段１０６に入力された映像データはＭＰＥＧ方式により圧縮するとともにテレビ放送と合わせて送信されたチャンネル等の番組情報を抽出し、ＨＤＤドライブ１０７及びまたはＤＶＤドライブ１０８で番組情報や記録モード等情報を管理情報として番組の圧縮された映像データとともに記録する。また、デジタルのテレビ放送からの番組を記録する場合は、デジタル受信手段１０３によりデジタルのテレビ放送を受信し出力されるデジタルの映像データは  デジタル信号処理手段１０６に入力される。デジタル信号処理手段１０６に入力された映像データはＭＰＥＧ方式により圧縮するとともにテレビ放送と合わせて送信されたチャンネル等の番組情報を抽出し、ＨＤＤドライブ１０７及びまたはＤＶＤドライブ１０８で番組情報や記録モード等の付加情報とを管理情報として番組の圧縮された映像データとともに記録する。ここで、番組情報や記録モード等の情報は管理情報として記憶手段１１４にも記録するようにしている。
【００１４】
一方、デジタル信号処理手段１０６からは外部の表示装置に画面表示するための映像信号が出力されており、ＯＳＤ生成手段１０９により文字やアイコン等の表示情報が重畳され外部出力端子１１０から外部表示装置に出力される。
【００１５】
また、再生時はＨＤＤドライブ１０７またはＤＶＤドライブ１０８に記録されている圧縮された映像データがデジタル信号処理手段１０６で伸張され、映像信号となってＯＳＤ生成手段１０９により文字やアイコン等の表示情報が重畳された後外部出力端子１１０から外部表示装置に出力される。
【００１６】
ここで、ユーザは操作手段１１３により記録モードや再生モード等にするための所定の操作をする。また、リモコン２０１からの操作はリモコン入力手段１１１で検知され、制御手段１１２に送られ、操作に従った制御動作がなされる。
【００１７】
次に、本発明に係る番組消去する場合の動作について説明する。尚、ここでは、ＨＤＤドライブ１０７に記録されている番組を消去する場合で説明する。
【００１８】
本実施例では、１回の消去操作でＨＤＤドライブ１０７の番組を消去してしまうのではなく、消去してもよい番組を消去候補としてまず選択しておき、記録容量が少なくなってきたら消去候補の番組を消去する機能を備ており、誤って番組消去の操作して番組が見られなくなることを防止できる機能を搭載しているので、これに従って説明する。
【００１９】
リモコン２０１のディスクナビゲーション釦を押すと、リモコン入力手段１１１経由で制御手段１１２はディスクナビゲーション釦が押されたことを検知し、ＨＤＤドライブ１０７に記録してある番組情報や記録モード等の管理情報を読み出し、番組一覧画面であるナビゲーション画面用の情報を生成し、ＯＳＤ生成手段１０９へ送る。ＯＳＤ生成手段１０９では入力したナビゲーション画面用の情報を元にナビゲーション画面を生成し、外部出力端子１１０を経由して外部表示装置にナビゲーション画面を表示する。ナビゲーション画面を表示中に削除候補としたい番組をリモコン２０１のカーソル釦を押して選び、赤釦を押すと、制御手段１１２はナビゲーション画面の上にゴミ箱へ移動してもよいかどうか確認用のメッセージを重畳させた画像情報を生成し、ＯＳＤ生成手段１０９で画面を生成し、外部出力端子１１０を経由して外部表示装置に表示する。ここで、リモコン２０１のカーソル釦で「はい」を選び決定釦を押すと、選択されていた番組が、消去候補としてゴミ箱に移動される。すなわち、ＨＤＤドライブ１０７に記憶されている管理情報のうち消去候補となった番組の管理情報はゴミ箱という記憶領域（フォルダ）に移動される。ここで、再度ディスクナビゲーション釦を押した場合、消去候補としてゴミ箱へ移動した番組は、ディスクナビゲーション画面には表示されないようになり、表示される番組数が少なくなるので、番組を探す検索性がよくなる。また、この状態では、ＨＤＤドライブ１０７には削除候補の番組のデータは残っているので、後で戻すことも可能であり、使い勝手がよい。
【００２０】
次に、リモコン２０１のゴミ箱釦を押すと、リモコン入力手段１１１経由で制御手段１１２はゴミ箱釦が押されたことを検知し、ＨＤＤドライブ１０７内のゴミ箱の記憶領域（フォルダ）に記憶されている管理情報を読み出し、消去候補番組の一覧画面であるゴミ箱画面用の情報を生成し、ＯＳＤ生成手段１０９ではゴミ箱画面用の情報を元にゴミ箱画面を生成し、外部出力端子１１０を経由して外部表示装置にゴミ箱画面を表示する。ここで、ゴミ箱画面表示中に、消去したい番組をカーソル釦で選び決定釦を押すと、制御手段１１２の制御によりＨＤＤドライブ１０７にある該当番組の管理情報及び映像データを消去する。
【００２１】
以上説明したように、リモコン２０１のゴミ箱釦を１回押すだけで、番組消去用の画面が直ぐ表示されるので、消去画面表示までの操作手間及び時間を短縮し、番組消去時の使い勝手を改善することができる。
【００２２】
図２は、本発明によるＨＤＤ内蔵ＤＶＤレコーダーのリモコンの外観図を示す。本発明によるリモコンの構成を図２を用いて説明する。図２（ａ）は本発明によるリモコンの全体外観図、図２（ｂ）は本発明によるリモコンの拡大図を示す。
【００２３】
図２に示すように、リモコン中央部より下の部分の親指が当たりやすいところにカーソル釦２０４及び決定釦２０５が配置され、その周りにディスクナビゲーション釦２０３が配置されている。また、ゴミ箱釦２０２と赤釦２０６はカーソル釦２０４に近い位置に配置されている。ゴミ箱釦をリモコン２０１に配置することにより、離れたところから操作できるので、使い勝手がよい。
【００２４】
図３は、本発明によるＨＤＤ内蔵レコーダーの番組消去時のフローチャートを示す。本発明によるＨＤＤ内蔵レコーダーの番組消去時の処理の流れを、図３を用いて説明する。尚、ここでは、消去候補の番組をゴミ箱に移動した後、ゴミ箱から番組を消去する時の処理を説明する。尚、ここでは、ＨＤＤドライブ１０７に記録されている番組を消去する場合で説明する。
【００２５】
電源オンした状態で本処理は開始され、ステップＳ３０１でゴミ箱釦２０２が押されたかを判断し、押されたと判断した場合はステップＳ３０２で本レコーダーの動作状態を制御手段１１２に確認する。ステップＳ３０３で本レコーダーの動作状態からゴミ箱画面表示に移行できるかを判断し、移行できない場合はステップＳ３０４で制御手段１１２からの情報でＯＳＤ生成手段１０９でアラーム表示の画面を作成し、外部出力端子１１０を介して外部表示装置にアラーム表示画面を表示する。ここで、ゴミ箱画面に移行できない動作状態とは、録画再生中、編集中、ダビング中、タイマー記録中、ＨＤＤ初期化中や、文字入力画面表示中、ダウンロード実行中等である。
【００２６】
ステップＳ３０３で移行できると判断した場合は、ステップＳ３０５でＨＤＤドライブ１０７内のゴミ箱の記憶領域（フォルダ）に記憶されている管理情報を入手し、ステップＳ３０６で制御手段１１２で生成したゴミ箱画面用の情報を元にＯＳＤ生成手段１０９でゴミ箱画面を生成し、外部出力端子１１０を経由して外部表示装置にゴミ箱画面を表示する。ステップＳ３０７でカーソル釦２０４か赤釦２０６が押されたかを判断する。ここで、番組を１つずつ消去したい場合はカーソル釦２０４を押して消去したい番組を選ぶ処理に入り、ゴミ箱にある番組全部をまとめて消去したい場合には赤釦２０６を押す。
【００２７】
ステップＳ３０７でカーソル釦を押したと判断された場合は、ステップＳ３０８で選択している番組を示すカーソル表示をカーソル釦２０４の方向（上下）に合わせて、消去したい番組にカーソル表示が移動するまで続ける。ステップＳ３０９で決定釦２０５か青釦２０７が押されたかを判断し、決定釦２０５が押された場合はステップＳ３１０で消去してもよいかの確認画面を表示する。ステップＳ３１１で消去ＯＫの場合はカーソル釦２０４で「はい」を選択して決定釦２０５を押すと、ステップＳ３１２でＨＤＤドライブ１０７内にある該当番組の管理情報及び映像データを消去する。ステップＳ３１３で、消去した番組を画面から削除したゴミ箱画面に変更し、ステップＳ３１４で戻る釦２０８を押した場合はゴミ箱画面を消し、本処理を終了する。さらに別の番組を消去したい場合にはステップＳ３１４で戻る釦２０８を押さないと、ステップＳ３０７に戻り次の消去番組の選択処理に入る。
【００２８】
ステップＳ３０９で青釦２０７が押された場合は、ステップＳ３１９でＨＤＤドライブ１０７のゴミ箱記録領域に移動されていた選択されている番組の管理情報を元の記憶領域に戻し、ステップＳ３２０で元に戻した番組を画面から削除したゴミ箱画面に変更し、ステップＳ３１４に進む。このように、元に戻した番組はディスクナビゲーション画面に表示されるようになり、使い勝手がよい。
【００２９】
ステップＳ３０７で赤釦２０６を押したと判断された場合は、ステップＳ３１５で消去してもよいかの確認画面を表示する。ステップＳ３１６で消去ＯＫの場合はカーソル釦２０４で「はい」を選択して決定釦２０５を押すと、ステップＳ３１７でＨＤＤドライブ１０７にある該当番組の管理情報及び映像データを消去する。ステップＳ３１８で、全番組を画面から削除したゴミ箱画面に変更し、ステップＳ３１４に進む。このように、全番組をまとめて消去できるので、使い勝手がよい。
【００３０】
図４は、本発明によるＨＤＤ内蔵レコーダーのゴミ箱画面の表示例を示す。本発明によるＨＤＤ内蔵レコーダーのゴミ箱画面を図４を用いて説明する。
【００３１】
ゴミ箱画面４０１は、画面内容を表示する画面内容表示欄４０２と、番組情報を表示する番組欄４０３と、選択された番組を表示するカーソル表示４０４と、関連する操作用の釦を表示する操作ガイド欄４０５とで構成されている。このゴミ箱画面４０１で番組を選択する場合、カーソル釦２０４の上下釦を押すことによりカーソル表示４０４を上下させ、消去したい番組を選択した後、操作ガイド欄４０５を参照して決定釦２０５を押すと選択した番組を消去できる。また青釦を押すと選択した番組を元に戻すことができる。さらに赤釦２０６を押すと表示されている全番組を消去できる。
【００３２】
図５は、本発明によるＨＤＤ内蔵レコーダーのアラーム表示画面の表示例を示す。本発明によるＨＤＤ内蔵レコーダーのステップＳ３０４で表示するアラーム表示画面を図５を用いて説明する。
【００３３】
図５に示すように、表示していたテレビ放送等の画面にアラームマーク５０１を表示して、ゴミ箱画面表示に移行できないことをユーザに知らせる。このマークを表示することによりユーザは現在ゴミ箱画面に移行できない動作状態にあることを気付くことができる。尚、アラームマークには赤等の色を付けると更に気付きやすくすることができる。
【００３４】
本実施例では、ゴミ箱釦をリモコンに配置したが、レコーダーの本体側に配置するようにしても構わない。
【００３５】
本実施例では、ＨＤＤドライブ１０７に記録されている番組を消去する場合で説明したが、ＤＶＤドライブ１０８に記録されている番組を消去する場合でも構わない。
【００３６】
また、本実施例では、消去候補をまずゴミ箱に移動しゴミ箱釦でゴミ箱画面を表示させ番組を消去するという２段階で番組を消去する方式の場合で説明したが、これに限るものではない。例えば、番組一覧を表示した消去用画面から番組を直接消去する方式の場合は専用の釦（消去釦等）で消去用画面が表示されるようにしてもよい。
【図面の簡単な説明】
【００３７】
【図１】本発明の一実施例のＨＤＤ内蔵ＤＶＤレコーダーのブロック図
【図２】本発明の一実施例のＨＤＤ内蔵ＤＶＤレコーダーのリモコンの外観図
【図３】本発明の一実施例のＨＤＤ内蔵レコーダーの番組消去時のフローチャート
【図４】本発明の一実施例のＨＤＤ内蔵レコーダーのゴミ箱画面の表示例
【図５】本発明の一実施例のＨＤＤ内蔵レコーダーのアラーム表示画面の表示例
【符号の説明】
【００３８】
１０１…アナログ受信手段、１０２…外部入力端子、１０３…デジタル受信手段、
１０４…入力切替手段、１０５…Ａ／Ｄ、１０６…デジタル信号処理手段、
１０７…ＨＤＤドライブ、１０８…ＤＶＤドライブ、１０９…ＯＳＤ生成手段、
１１０…外部出力端子、１１１…リモコン入力手段、１１２…制御手段、
１１３…操作手段、１１４…記憶手段、２０１…リモコン、２０２…ゴミ箱釦、
２０３…ディスクナビゲーション釦、２０４…カーソル釦、２０５…決定釦、
２０６…赤釦、２０７…青釦、２０８…戻る釦、４０１…ゴミ箱画面、
４０２…画面内容表示欄、４０３…番組欄、４０４…カーソル表示、
４０５…操作ガイド欄、５０１…アラームマーク。
【図１】
2007267298.tif 000003
【図２】
2007267298.tif 000004
【図３】
2007267298.tif 000005
【図４】
2007267298.tif 000006
【図５】
2007267298.tif 000007